(57)【要約】  スライドファスナー用スライダーの上翼片(52)又は下翼片(53)に可撓性を与え、左右一対の第１及び第２ファスナーストリンガー(16,17)に横引き力を加えた際に、テープ挿通路に務歯が噛み込むように構成した。これにより、左右の第１及び第２ファスナーストリンガー(16,17)に横引き力を加えると、スライダーのテープ挿通路が拡幅して務歯列が外れる。そして、噛合状態にある第１及び第２ファスナーストリンガー(16,17)を、素早く分離状態に切り替えることができる。
2010113275.tif 000002
【特許請求の範囲】
【請求項１】
左右一対の第１及び第２ファスナーストリンガー(16,17)の対向側縁に取着された第１及び第２務歯列に挿通して噛合／分離状態に切り替えるスライドファスナー用スライダーであって、
上翼片(52)及び下翼片(53)と、左右の肩口の中央に配され前記上翼片(52)と前記下翼片(53)とを連結する連結柱(50D)と、前記上翼片(52)及び前記下翼片(53)のうちの少なくとも何れか一方の側縁部から対向する翼片側に向けて延設するフランジ(50F,50T,50U,150T,250U,350T,350U,450T,550T,550U,650T,650U,750F)とを備え、当該フランジ(50F,50T,50U,150T,250U,350T,350U,450T,550T,550U,650T,650U,750F)の端縁側に前記各第１及び第２ファスナーストリンガー(16,17)の各ファスナーテープを挿通案内するテープ挿通路が形成され、前記上翼片(52)及び下翼片(53)のうちの少なくとも何れか一方を撓ませることで前記テープ挿通路を拡幅可能にしてなることを特徴とするスライドファスナー用スライダー。
【請求項２】
請求の範囲１に記載のスライドファスナー用スライダーにおいて、
前記フランジ(50T,50U,150T,250U,350T,350U,450T,550T,550U,650T,650U,750F)の肩口側における延設高さを中央部の延設高さよりも低い傾斜形状に設定し、前記テープ挿通路の間隙を中央部から肩口側に向けて漸次広くなる傾斜形状に形成してなることを特徴とするスライドファスナー用スライダー。
【請求項３】
請求の範囲１に記載のスライドファスナー用スライダーにおいて、
前記フランジ(50T,50U,150T,250U,350T,350U,450T,550T,550U,650T,650U,750F)の後口側における延設高さを中央部の延設高さよりも低い傾斜形状に設定し、前記テープ挿通路の間隙を中央部から後口側に向けて漸次広くなる傾斜形状に形成してなることを特徴とするスライドファスナー用スライダー。
【請求項４】
請求の範囲１に記載のスライドファスナー用スライダーにおいて、
前記上翼片(52)及び下翼片(53)のうちの少なくとも何れか一方の翼片部分に、スライダーの前後方向に亙って薄肉部(54)を形成してなることを特徴とするスライドファスナー用スライダー。
【請求項５】
請求の範囲４に記載のスライドファスナー用スライダーと、
第２ファスナーストリンガー(17)の一側縁に配された第２務歯列(13)の下端に連設した箱棒(40)と、
第１ファスナーストリンガー(16)の一側縁に配された第１務歯列(12)の下端に連設され前記第２ファスナーストリンガー(17)に対して開離嵌挿可能に構成された蝶棒(30)とを備え、
前記スライダーにおける前記第１ファスナーストリンガー(16)側の前記上翼片(52)及び下翼片(53)のうちの少なくとも何れか一方の翼片部分に、スライダーの前後方向に亙って前記薄肉部(54)を形成してなることを特徴とするクイックオープン式スライドファスナー。
【請求項６】
請求の範囲２又は３に記載のスライドファスナー用スライダーと、
第２ファスナーストリンガー(17)の一側縁に配された第２務歯列(13)の下端に連設した箱棒(40)と、
第１ファスナーストリンガー(16)の一側縁に配された第１務歯列(12)の下端に連設され前記第２ファスナーストリンガー(17)に対して開離嵌挿可能に構成された蝶棒(30)と、を備え、
前記スライダーにおける前記第１ファスナーストリンガー(16)側に、前記傾斜形状に形成したフランジ(50T,50U,150T,250U,350T,350U,450T,550T,550U,650T,650U,750F)を有してなることを特徴とするクイックオープン式スライドファスナー。
【発明の詳細な説明】
【技術分野】
【０００１】
本発明は、閉じている左右のファスナーストリンガーを、スライダーを摺動させることなく素早く開けることを可能にするスライダーと、同スライダーを備えたクイックオープン式スライドファスナーに関する。
【背景技術】
【０００２】
通常のスライドファスナーは、左右一対のファスナーテープの相対する側縁に沿って多数の務歯が取着された左右一対のファスナーストリンガーを備えている。このファスナーストリンガーの務歯列の一端に上止が、他端に下止が取り付けられており、務歯列には左右のファスナーストリンガーを開閉するためのスライダーが挿通されている。一般的には、このスライダーを務歯列に沿って摺動させることにより、左右のファスナーストリンガーを開閉する。【０００３】
こうした通常のスライドファスナーとは異なり、閉じている左右のファスナーストリンガーを、スライダーを摺動させることなく素早く分離させることを可能にした、いわゆるクイックオープン式スライドファスナーも知られている。例えば、特許第４１０３０８８号公報（特許文献１）により提案されているスライドファスナーでは、左右のファスナーストリンガーを左右方向にたやすく開けるようにするため、スライダーを左側部分と右側部分とに２つに分割し、両者を円形磁石をもって係脱できるようにしている。【０００４】
また、米国特許第２，５７５，５０１号明細書（特許文献２）に開示されたクイックオープン式スライドファスナーは、一方のファスナーストリンガーの務歯列の上止側端部に配された所定数の務歯を排除するとともに、その務歯が排除されたファスナーテープの部位をスライダーの上下翼片の上下フランジ間に形成されたテープ挿通路から外しやすくするため、前記テープ挿通路を構成する間隙を通常の間隙よりも大きくしている。これは、通常の間隙では、ファスナーテープに添設されている芯部が、スライダーの上下翼片の上下フランジ間のテープ挿通路に引っ掛かってしまうのを避けるためである。【０００５】
この特許文献２に開示されたクイックオープン式スライドファスナーを強制的に分離状態にする場合には、スライダーを務歯を排除した部位まで摺動させた後に、左右のファスナーストリンガーに横引き力を加える。すると、務歯が排除されていない他方のファスナーストリンガーにスライダーを残した状態で、務歯が排除されているファスナーテープの芯部をテープ挿通路を介してスライダーから抜き取ることができる。後は、一気に務歯列の噛合を解除させることができる。前記テープ挿通路の間隙は、スライダーの上翼片側又は下翼片側の左右フランジのうち、一方のフランジの延設高さを低くすることで、前記テープ挿通路の間隙を一定幅拡げてある。
【特許文献１】特許第４１０３０８８号公報
【特許文献２】米国特許第２，５７５，５０１号明細書
【発明の開示】
【発明が解決しようとする課題】
【０００６】
特許文献１に記載されているクイックオープン式スライドファスナーでは、スライダーを左側部分と右側部分との別部品を用いて構成する必要がある。また、スライダーの左側部分と右側部分とに、それぞれ強力な磁石を配置しなくてはならないので、スライダーが大型化してしまうという不具合を生ずる。また、スライダーに磁石を配置すると、スライダーの左側部分と右側部分とを分離させた状態で磁性体が近くに存在した場合に、当該磁性体とスライダーとが吸着してしまい、スライダーの操作性を損なうことになる。【０００７】
また、スライダーが左側部分と右側部分との別部品で構成されているために、既存のスライダーとは部品の形状が大きく異なるものとなる。その結果、当該クイックオープン式スライドファスナーを生産するに際して、既存の生産ラインとは異なる別の専用の生産ラインを準備しなくてはならないなど、製品価格の上昇を招く要因ともなる。【０００８】
一方、特許文献２に記載されているクイックオープン式スライドファスナーでは、噛合状態にある務歯列を分離させるためには、スライダーを上止側の端部まで摺動操作を一旦行った後に、左右のファスナーストリンガーを左右方向に開く操作を行わなければならない。したがって、スライダーが任意の位置にあるとき、その場でスライドファスナーを瞬時に開く操作を行うことができなかった。【０００９】
本発明は、こうした従来技術を改善するために創出されたもので、スライドファスナー上におけるスライダーの位置に関わらずスライドファスナーを瞬時に開く操作を行うことができ、小型で既存の生産設備を用いて生産を行うことが可能なクイックオープン式スライドファスナーを提供することを目的としている。
【課題を解決するための手段】
【００１０】
上記課題を解決するために本発明に係るスライドファスナー用スライダーは、左右一対の第１及び第２ファスナーストリンガーの対向側縁に取着された第１及び第２務歯列に挿通して噛合／分離状態に切り替えるスライドファスナー用スライダーであって、上翼片及び下翼片と、左右の肩口の中央に配され前記上翼片と前記下翼片とを連結する連結柱と、前記上翼片及び前記下翼片のうちの少なくとも何れか一方の側縁部から対向する翼片側に向けて延設するフランジとを備え、当該フランジの端縁側に前記各第１及び第２ファスナーストリンガーの各ファスナーテープを挿通案内するテープ挿通路が形成され、前記上翼片及び下翼片のうちの少なくとも何れか一方を撓ませることで前記テープ挿通路を拡幅可能にしてなることを特徴とする。【００１１】
また、他の発明は、前記フランジの肩口側における延設高さを中央部の延設高さよりも低い傾斜形状に設定し、前記テープ挿通路の間隙を中央部から肩口側に向けて漸次広くなる傾斜形状に形成してなることを特徴とする。【００１２】
また、他の発明は、前記フランジの後口側における延設高さを中央部の延設高さよりも低い傾斜形状に設定し、前記テープ挿通路の間隙を中央部から後口側に向けて漸次広くなる傾斜形状に形成してなることを特徴とする。【００１３】
また、他の発明は、前記上翼片及び下翼片のうちの少なくとも何れか一方の翼片部分に、スライダーの前後方向に亙って薄肉部を形成してなることを特徴とする。【００１４】
また、他の発明は、第２ファスナーストリンガーの一側縁に配された第２務歯列の下端に連設した箱棒と、第１ファスナーストリンガーの一側縁に配された第１務歯列の下端に連設され前記第２ファスナーストリンガーに対して開離嵌挿可能に構成された蝶棒とを備え、前記スライダーにおける前記第１ファスナーストリンガー側の前記上翼片及び下翼片のうちの少なくとも何れか一方の翼片部分に、スライダーの前後方向に亙って前記薄肉部を形成してなることを特徴とする。【００１５】
また、他の発明は、第２ファスナーストリンガーの一側縁に配された第２務歯列の下端に連設した箱棒と、第１ファスナーストリンガーの一側縁に配された第１務歯列の下端に連設され前記第２ファスナーストリンガーに対して開離嵌挿可能に構成された蝶棒とを備え、前記スライダーにおける前記第１ファスナーストリンガー側に、前記傾斜形状に形成したフランジを有してなることを特徴とする。
【発明の効果】
【００１６】
本発明によれば、スライダーの上翼片又は下翼片に可撓性を備えたので、閉鎖状態のクイックオープン式スライドファスナーにおけるスライダーの肩口から出ている第１及び第２ファスナーストリンガー同士に左右方向に向かう横引き力を加えるとフランジが務歯に乗り上がろうとする。すると、可撓性を備える上翼片又は下翼片が撓み、テープ挿通路が拡幅されて、テープ挿通路に務歯が噛み込んだ状態となる。【００１７】
更に左右のファスナーストリンガー同士に左右方向の横引き力を加え続けると、テープ挿通路に食い込んでいる務歯がフランジ端縁の頂部を滑りながら徐々にスライダーの後口側へと移動する。スライダーの上翼片又は下翼片は可撓性を備えているので、テープ挿通路に食い込んでいる務歯がスライダーの上翼片又は下翼片を拡開方向に撓ませながら、テープ挿通路を通過する。すると、スライダーの務歯案内通路に存在する務歯が、拡幅されたテープ挿通路から順次外れてゆき、務歯列が完全にスライダーから外れる。【００１８】
務歯列がスライダーから外れた後は、噛合状態にある左右のファスナーストリンガーを左右方向に向けて軽く開くだけで、噛合状態にあった務歯列同士を簡単に分離状態に切り替えることができる。【００１９】
また、他の発明によれば、テープ挿通路の間隙を中央部から肩口側に向けて漸次広くなる傾斜形状に形成したので、第１及び第２ファスナーストリンガー同士に左右方向に向かう横引き力を加えた際に、フランジの延設高さが低く設定されている肩口側のフランジが務歯に乗り上がろうとする。すると、可撓性を備える上翼片又は下翼片が撓み、テープ挿通路が拡幅されて、テープ挿通路に務歯が噛み込んだ状態となる。【００２０】
更に左右のファスナーストリンガー同士に左右方向の横引き力を加え続けると、テープ挿通路に食い込んでいる務歯が、傾斜形状に形成されているフランジ端縁の頂部を滑りながら徐々にスライダーの後口側へと移動する。スライダーの上翼片又は下翼片は可撓性を備えているので、テープ挿通路に食い込んでいる務歯がスライダーの上翼片又は下翼片を拡開する方向に撓ませながら、テープ挿通路を更に拡幅させる。テープ挿通路が務歯の厚さまで拡幅されると、拡幅されているテープ挿通路を介して務歯が順次外れてゆき、務歯列が完全にスライダーから外れる。【００２１】
務歯列がスライダーの務歯案内通路から外れた後は、噛合状態にある左右のファスナーストリンガーを左右方向に向けて軽く開くだけで、噛合状態にあった務歯列同士を簡単に分離状態に切り替えることができる。【００２２】
また、他の発明によれば、テープ挿通路の間隙を中央部から後口側に向けて漸次広くなる傾斜形状に形成した。これにより、スライダーの後口側の遠方からスライダーの後口に向けて、噛合状態にあった第１及び第２ファスナーストリンガー同士に横引き力を加えて順次分離状態に切り替えて来た際に、フランジの延設高さが低く設定されている後口側のフランジが務歯に乗り上がろうとする。すると、可撓性を備える上翼片又は下翼片が撓み、テープ挿通路が拡幅されて、テープ挿通路に務歯が噛み込んだ状態となる。【００２３】
更に左右のファスナーストリンガー同士に強めの横引き力を加えると、テープ挿通路に食い込んでいる務歯が、傾斜形状に形成されているフランジ端縁の頂部を滑りながら徐々にスライダーの肩口側へと移動する。スライダーの上翼片又は下翼片は可撓性を備えているので、テープ挿通路に食い込んでいる務歯がスライダーの上翼片又は下翼片を拡開する方向に撓ませながら、テープ挿通路を更に拡幅させる。テープ挿通路が務歯の厚さまで拡幅されると、拡幅されているテープ挿通路を介して務歯が順次外れてゆき、務歯列が完全にスライダーから外れる。【００２４】
また、他の発明によれば、上翼片及び下翼片のうちの少なくとも何れか一方の翼片部分に、スライダーの前後方向に亙って薄肉部を形成したので、左右のファスナーストリンガーを左右方向に向けて開いた場合に、常に薄肉部が形成されている翼片を拡幅する方向に撓ませながら、この翼片側の務歯列を、拡幅されているテープ挿通路を介して外すことができる。したがって、常に予め定めたファスナーストリンガー側にスライダーを残した状態で、左右のファスナーストリンガー同士を分離状態にすることができる。【００２５】
また、他の発明によれば、第２ファスナーストリンガーの下端に箱棒を備え、第１ファスナーストリンガーの下端に蝶棒を備え、スライダーの第１ファスナーストリンガー側の翼片部分に薄肉部を形成したので、クイックオープン式スライドファスナーの左右のファスナーストリンガーを左右方向に向けて開いた場合に、常に第１ファスナーストリンガー側の務歯列を外すことができる。したがって、常に箱棒側の第２ファスナーストリンガーにスライダーを残した状態で、左右のファスナーストリンガー同士を分離させることができる。分離したファスナーストリンガーを再び閉じる場合には、従来の開離嵌挿具を備えたスライドファスナーと同様に、スライダーを箱棒の位置まで下げてから、スライダー及び箱体に蝶棒を挿入した後に、スライダーを第１及び第２務歯列に沿って摺動させればよい。【００２６】
また、他の発明によれば、第２ファスナーストリンガーの下端に箱棒を備え、第１ファスナーストリンガーの下端に蝶棒を備え、スライダーの第１ファスナーストリンガー側のフランジを傾斜形状に形成したので、クイックオープン式スライドファスナーの左右のファスナーストリンガーを左右方向に向けて開いた場合に、常に第１ファスナーストリンガー側の務歯列を外すことができる。したがって、常に箱棒側の第２ファスナーストリンガーにスライダーを残した状態で、左右のファスナーストリンガー同士を分離させることができる。分離したファスナーストリンガーを再び閉じる場合には、従来の開離嵌挿具を備えたスライドファスナーと同様に、スライダーを箱棒の位置まで下げてから、スライダー及び箱体に蝶棒を挿入した後に、スライダーを第１及び第２務歯列に沿って摺動させればよい。
【図面の簡単な説明】
【００２７】
【図１】図１は、クイックオープン式スライドファスナー全体の平面図である。
【図２】図２は、スライダーを後口側から見た斜視図である。
【図３】図３は、スライダーを左側から見た側面図である。
【図４】図４は、図１のＩＶ−ＩＶ線に沿った矢視断面図である。
【図５】図５は、図１のＶ−Ｖ線に沿った矢視断面図である。
【図６】図６は、図１のＶＩ−ＶＩ線に沿った矢視断面図である。
【図７】図７は、スライダーの肩口に近い部分において、最初の務歯がフランジ側のテープ挿通路に食い込んだ状態を示す平面断面図である。
【図８】図８は、図５に示した断面付近において務歯がテープ挿通路に食い込んでいる状態を示す平面断面図である。
【図９】図９は、図８に示した状態から更に噛合していた務歯が一つ分離し、その分離した務歯がテープ挿通路に新たに食い込んだ状態を示す図である。
【図１０】図１０は、第１務歯列の全ての務歯がスライダーから外れて、左右のファスナーストリンガー同士が分離した状態を示す図である。
【図１１】図１１は、スライダーにおけるテープ挿通路の他の実施形態を説明する左側面図である。
【図１２】図１２は、スライダーにおけるテープ挿通路の他の実施形態を説明する左側面図である。
【図１３】図１３は、スライダーにおけるテープ挿通路の他の実施形態を説明する左側面図である。
【図１４】図１４は、スライダーにおけるテープ挿通路の他の実施形態を説明する左側面図である。
【図１５】図１５は、図１４に示すスライダーを後口側から見た図である。
【図１６】図１６は、スライダーにおけるテープ挿通路の他の実施形態を説明する左側面図である。
【図１７】図１７は、可撓性を得るための薄肉部を上翼片に形成したスライダーを、後口側から見た斜視図である。
【図１８】図１８は、図１７に示すスライダーを後口側から見た図である。
【図１９】図１９は、可撓性を得るための薄肉部を上翼片及び下翼片の双方に形成したスライダーを、後口側から見た図である。
【符号の説明】
【００２８】
１０  クイックオープン式スライドファスナー
１２  第１務歯列
１２−１〜１２−４  第１〜第４番目の務歯
１３  第２務歯列
１４  芯部
１６  第１ファスナーストリンガー
１７  第２ファスナーストリンガー
２４  補強フィルム
３０  蝶棒
３３  凹陥部
３４  第１係止部
３８  噛合突起
４０  箱棒
４０Ｂ  箱体
４４  第２係止部
５０、１５０、２５０、３５０、４５０  スライダー
５０Ｄ  連結柱
５０Ｆ、７５０Ｆ  フランジ
５０Ｔ、１５０Ｔ、３５０Ｔ、４５０Ｔ、５５０Ｔ、６５０Ｔ  フランジ
５０Ｕ、２５０Ｕ、３５０Ｕ、５５０Ｕ、６５０Ｕ  フランジ
５２  上翼片
５３  下翼片
５４  薄肉部
５５  溝部
５８  引手取付柱
５９  引手
５９Ａ  引手軸部
【発明を実施するための最良の形態】
【００２９】
以下、本発明に係るクイックオープン式スライドファスナーの代表的な実施形態を図面を参照しながら具体的に説明する。図１は、スライダー５０の上翼片５２（図２参照）を切欠して示す本実施形態に係る開離嵌挿具付きクイックオープン式スライドファスナー１０の平面図である。なお、開離嵌挿具は蝶棒３０、箱棒４０及び箱体４０Ｂから構成されている。【００３０】
図１に示すように、閉じている左右のファスナーストリンガーを素早く開くことが可能なクイックオープン式スライドファスナー１０は、例えば常用の衣類や、瞬時に開けることが求められる緊急用の衣服等において、例えば左右の前身頃の開閉を可能にする開閉具である。【００３１】
クイックオープン式スライドファスナー１０は、第１ファスナーストリンガー１６及び第２ファスナーストリンガー１７と、第１ファスナーストリンガー１６及び第２ファスナーストリンガー１７の対向する側縁部に沿って配された左右の芯部１４と、それぞれの芯部１４を挟持するように所定の間隔をおいて多数の務歯を列設した第１務歯列１２及び第２務歯列１３と、第１務歯列１２及び第２務歯列１３に挿通してスライドファスナー１０の開閉を可能にするスライダー５０とを備えている。なお、第１務歯列１２及び第２務歯列１３を構成する各務歯の素材として、ポリアセタール等の樹脂成形品を用いることができる。【００３２】
スライダー５０の内部には、第１務歯列１２及び第２務歯列１３を上下方向に挿通させるための務歯案内通路が、フランジ５０Ｆ及びフランジ５０Ｔで囲まれる形でＹ字形に形成されている。また、務歯案内通路の肩口側（図１に示す実施形態では、スライダー５０の上部）の中央部には、上翼片５２（後段にて説明する図２及び図３参照。）と下翼片５３とを連結する連結柱５０Ｄを配してある。【００３３】
務歯案内通路の前後端には、スライダー５０の前端側の連結柱５０Ｄの両側に設けられた左右の肩口と、後端側に設けられた後口とが形成されている。スライダー５０の肩口は、分離した左右の務歯を務歯案内通路へ導入又は導出し、後口は、噛合した左右務歯を務歯案内通路へ導入又は導出する。【００３４】
スライダー５０を第１務歯列１２及び第２務歯列１３に沿って図示せぬ上止側に摺動させると、スライダー５０の後口からは、分離状態にあった左右の第１務歯列１２及び第２務歯列１３が噛合状態となって出てくる。逆に、スライダー５０を開離嵌挿具側に摺動させると、スライダー５０の後口から噛合状態にある第１務歯列１２及び第２務歯列１３が導入され、左右の肩口からは第１務歯列１２及び第２務歯列１３が分離状態となって出てくる。【００３５】
第１ファスナーストリンガー１６における第１務歯列１２の下方には蝶棒３０を連設してあり、第２ファスナーストリンガー１７における第２務歯列１３の下方には、箱棒４０を連接してある。【００３６】
箱棒４０の下端部には箱体４０Ｂが固設されており、スライダー５０を介して蝶棒３０の下端部を挿入することで、左右の第１ファスナーストリンガー１６と第２ファスナーストリンガー１７とを結合させることが可能となる。この箱体４０Ｂには、蝶棒３０の下端部を挿入するための中空部が形成されている。なお、これらの蝶棒３０と、箱棒４０と、箱体４０Ｂとから開離嵌挿具が構成されている。【００３７】
図１に示した開離嵌挿具付きクイックオープン式スライドファスナー１０では、箱棒４０の下端に箱体４０Ｂを備える開離嵌挿具を用いているが、この他にも箱体４０Ｂを用いないサイドオープン式のスライドファスナーに本発明を適用することも可能である。また、図１に示す実施例では、１つのスライダーを摺動させることにより開閉を可能とするクイックオープン式スライドファスナー１０に本発明を適用した実施形態について説明してあるが、後口同士を対向させて２つのスライダー５０を務歯列に挿通させる両開き式のスライドファスナーに本発明を適用することもできる。【００３８】
図１に示すように、第１ファスナーストリンガー１６の蝶棒３０側のテープ端部の表裏には、樹脂製フィルムなどによる補強フィルム２４が貼着してある。そして、この補強フィルム２４及び芯部１４を共に挟み込む形で蝶棒３０を固着している。また、同様に、第２ファスナーストリンガー１７の箱棒側のテープ端部の表裏にも、補強フィルム２４が貼着されている。この補強フィルム２４及び芯部１４を共に挟み込む形で箱棒４０が固着される。【００３９】
箱棒４０における蝶棒３０と相対する対向側面の第２務歯列１３側には、台形平板状の第２係止部４４が突出している。第２係止部４４は、後述する蝶棒３０の第１係止部３４と係合する部分である。【００４０】
蝶棒３０における箱棒４０と相対する対向側面には、蝶棒３０の端部側に向けた係止面で構成された第１係止部３４が、表裏の両側壁により補強された形で突出している。第１係止部３４の上面側には、第２務歯列１３の最下端の務歯と噛合する噛合突起３８が形成されている。第１係止部３４は、スライダー５０を最下位まで移動させて箱体４０Ｂに当接させた状態でスライダー５０の肩口へ蝶棒３０を挿入した際に、箱棒４０側の第２係止部４４と係合させることで、蝶棒３０を箱棒４０に対してファスナーストリンガーの長手方向に位置決めするための部分である。第１係止部３４の下方の箱体４０Ｂ側には、両側壁で囲まれた凹陥部３３が形成されている。この凹陥部３３には、箱棒４０の第２係止部４４が進入する部分である。【００４１】
次に、図２及び図３を用いて、スライダー５０の構造について説明する。図２は、スライダー５０を後口側から見た斜視図であり、図３は、スライダー５０の左側面図である。【００４２】
図２及び図３に示すように、スライダー５０の上翼片５２及び下翼片５３は、連結柱５０Ｄにより連結されている。スライダー５０は、上翼片５２と下翼片５３と連結柱５０Ｄとから構成されるスライダー本体と、スライダー本体の摺動操作時の摘まみ手である引手５９と、引手５９の回動中心となる引手軸部５９Ａを回動自在に遊挿する開口部を形成する引手取付柱５８とから構成されている。【００４３】
上翼片５２及び下翼片５３の左右両側縁には、スライダー５０の移動に伴い第１務歯列１２及び第２務歯列１３同士を摺動案内するためのフランジ５０Ｆ、５０Ｔ、５０Ｕが上下方向に対向して延設されている。上翼片５２及び下翼片５３の各フランジ５０Ｆの対向端縁間に形成される空間部分、及びフランジ５０Ｔ、５０Ｕの対向端縁間に形成される空間部分は、第１ファスナーストリンガー１６及び第２ファスナーストリンガー１７のファスナーテープを挿通させるためのテープ挿通路となる。【００４４】
上下二つのフランジ５０Ｆの対向端縁間に形成されるテープ挿通路は、図３の側面図に示されるように、肩口側から後口側まで一定の間隙ｈ'で形成されている。このテープ挿通路は、第２ファスナーストリンガー１７のファスナーテープを挿通案内するための間隙であるので、テープ挿通路の間隙ｈ'は、ファスナーテープの厚さよりも僅かに広く、第２務歯列１３の厚さよりも狭く、通常のスライダーと同様の間隙広さに設定されている。【００４５】
フランジ５０Ｔ、５０Ｕの対向端縁間のテープ挿通路は、蝶棒３０を有する第１ファスナーストリンガー１６のファスナーテープを挿通案内するテープ挿通路を構成する。このフランジ５０Ｔ、５０Ｕの対向端縁間のテープ挿通路は、図３の側面図に示すように、肩口側のテープ挿通路の間隙Ｈを後口側のテープ挿通路の間隙ｈよりも広くなるように、上翼片５２における第１フランジ５０Ｔの肩口側の延設高さを中央部の延設高さよりも低くした傾斜形状に設定している。なお、図３に示す実施形態では、後口側のテープ挿通路の間隙ｈを、第１フランジ５０Ｆ側のテープ挿通路の間隙ｈ'よりも広くなるように設定してあるが、上翼片５２の可撓性に応じて、後口側のテープ挿通路の間隙ｈを、フランジ５０Ｆ側のテープ挿通路の間隙ｈ'程度まで狭く設定することも可能である。【００４６】
図３に示す実施形態によれば、スライダー５０の下翼片５３から延設しているフランジ５０Ｕは、肩口側から後口まで一定の低い延設高さに設定されている。これに対し、上翼片５２から延設しているフランジ５０Ｔは、肩口側の延設高さが中央部の延設高さよりも低くなる傾斜形状に設定されている。なお、他の実施形態として、図３に示す実施形態とは逆に、上翼片５２から延設しているフランジを、肩口側から後口まで一定の延設高さに設定し、下翼片５３から延設しているフランジを、肩口側の延設高さが中央部の延設高さよりも低くなる傾斜形状に設定することもできる。【００４７】
次に、図４〜図６を用いて、本実施形態によるスライダー５０から第１務歯列１２とともに第１ファスナーストリンガー１６を外すときの状況について説明する。図４は、図１に示したＩＶ−ＩＶ線の矢視断面図であり、図５は、図１に示したＶ−Ｖ線の矢視断面図である。また、図６は、図１に示したＶＩ−ＶＩ線の矢視断面図である。なお、図１及び図２に示した部分と同じ部分に同一の符号を付してその説明を省略する。【００４８】
図４〜図６は、それぞれスライダー５０の務歯案内通路及び第１ファスナーストリンガー１６の断面図であり、務歯案内通路の内部から肩口側に向けた断面図である。図４に示す断面は、スライダー５０の肩口に近い部分の断面図であるので、最も肩口側に近いフランジ５０Ｔの延設高さが最も低く示されている。図５に示す断面は、図４で示す位置よりも後口側に少し近づいているために、図４に示す状態よりもフランジ５０Ｔの延設高さが高く示されている。更に図６に示す断面では、更に後口側に近づいているために、図５に示す状態よりもフランジ５０Ｔの延設高さが更に高く示されている。【００４９】
このように、フランジ５０Ｔの延設高さは、肩口から中央部に近づくにつれて高くなるように設定してあるので、通常のスライダー５０の摺動操作によって、分離状態にある第１務歯列１２及び第２務歯列１３をそれぞれスライダー５０の肩口から導入して、順次噛合させることができる。【００５０】
また、本実施形態に係るスライダー５０を、結晶性ポリアミド樹脂等の可撓性を備える樹脂成形品で成形することが好ましい。スライダー５０に可撓性を備える素材を用いることによって、スライダー５０の上翼片５２のフランジ５０Ｔ側を、図４の二点鎖線で示す外方向に撓ませることができる。一方、第１及び第２務歯列１２、１３の素材には、前記結晶性ポリアミド樹脂等よりも硬度の高いポリアセタール樹脂等を使うとよい。スライダー５０及び第１及び第２務歯列１２、１３の材質は、前述の例に限るものではないが、少なくともスライダー５０の翼片の剛性は、第１及び第２務歯例１２、１３の剛性より低く設定するとよい。【００５１】
閉鎖状態にある本実施形態のクイックオープン式スライドファスナー１０を瞬時に分離させるには、スライダー５０を任意の位置に停止させておき、第１ファスナーストリンガー１６及び第２ファスナーストリンガー１７を開く左右方向に向けて横引き力を加える。すると、第１務歯列１２の最も肩口側の務歯が、延設高さが低く設定されている肩口側のフランジ５０Ｔ、５０Ｕの間のテープ挿通路に入り込もうとして、上翼片５２の隅部を上方に撓ませる。その結果、肩口側のテープ挿通路が拡幅されるので、テープ挿通路に第１務歯列１２が食い込んだ状態となる。更に、左右の第１ファスナーストリンガー１６及び第２ファスナーストリンガー１７に横引き力を加え続けると、テープ挿通路に食い込んでいた第１務歯列１２の務歯がフランジ５０Ｔ、５０Ｕを乗り越えて、図４の仮想線で示すように、完全にスライダーの務歯案内通路から外れる。【００５２】
また、左右の第１ファスナーストリンガー１６及び第２ファスナーストリンガー１７を左右方向に向けて開く横引き力を加えた際に、フランジ５０Ｔ、５０Ｕが、第１務歯列１２に乗り上がりやすくするために、フランジ５０Ｔ、５０Ｕと第１務歯列１２とが当接する乗上部５０Ｖである隅角部に面取部を形成するようにしてもよい。また、務歯の隅角部に、同様の面取部を形成することもできる。【００５３】
次に、図７〜図１０を用いて、閉じている左右のファスナーストリンガーを、スライダーの摺動に依らず素早く開く操作を行った際の、第１務歯列１２の動きについて説明する。【００５４】
図７は、スライダー５０の務歯案内通路に存在する第１務歯列１２の肩口に最も近い最初の務歯１２−１が、フランジ５０Ｔ、５０Ｕの対向端縁間のテープ挿通路に食い込んだ状態を示している。また、図８は、２番目の務歯１２−２がテープ挿通路に食い込んでいる状態を示している。図９は、図８に示した状態から、噛合していた３番目の務歯１２−３が一つ分離し、その分離した務歯がテープ挿通路に新たに食い込んだ状態を示す図である。図１０は、スライダー５０の務歯案内通路に入っていた全ての務歯１２−１〜１２−４が外れて、左右の第１ファスナーストリンガー１６と第２ファスナーストリンガー１７とが分離した状態を示している。【００５５】
例えば、衣服の左前身頃の中央側の側縁に第１ファスナーストリンガー１６を縫着し、右前身頃の中央側の側縁に第２ファスナーストリンガー１７を縫着しておき、第１務歯列１２及び第２務歯列１３が噛合状態にある状態から、左右の第１ファスナーストリンガー１６と第２ファスナーストリンガー１７とを一気に分離させる場合について説明する。【００５６】
先ず、第１務歯列１２及び第２務歯列１３を噛合状態にしておく。そして、スライダー５０を停止させた状態で、スライダー５０の肩口から出ている左右の第１ファスナーストリンガー１６及び第２ファスナーストリンガー１７に対して、図７にて矢印で示すように、左右方向に開く横引き力を加える。【００５７】
すると、図７に示すように、最初にスライダー５０の肩口に最も近い部分にある第１ファスナーストリンガー１６の１番目の務歯１２−１が、フランジ５０Ｔ、５０Ｕの間に形成されたテープ挿通路に食い込んだ状態となる。このとき、可撓性を備える上翼片５２の肩口側隅角部が、図４に仮想線で示したように上方に撓んでおり、テープ挿通路が拡幅されている。【００５８】
図７に示す状態から、更に左右の第１ファスナーストリンガー１６及び第２ファスナーストリンガー１７を左右方向に向けて開き続けると、食い込んだ務歯１２−１がテープ挿通路を更に拡幅して、上翼片５２の撓みが増す。すると、図８に示すように、隣接する２番目の務歯１２−２がフランジ５０Ｔ、５０Ｕの間の拡幅されたテープ挿通路に食い込んだ状態となる。【００５９】
図８に示す状態から、更に左右の第１及び第２ファスナーストリンガー１６、１７を左右方向に向けて開くように横引き力を加え続けると、図９に示すように、第２務歯列１３と噛合状態にあった務歯のうち、３番目の務歯１２−３の噛合が外れ、第２務歯列１３から離間していく。このとき、更に横引き力を加え続けることにより、第１務歯列１２の３番目の務歯１２−３の一部がフランジ５０Ｔ及び５０Ｕの間のテープ挿通路に食い込んだ状態となる。【００６０】
図９に示す状態から、更に左右の第１ファスナーストリンガー１６及び第２ファスナーストリンガー１７に対して横引き力を加え続けると、３番目の務歯１２−３がテープ挿通路の間隙を更に拡げる。これが順次なされることにより、スライダー５０の務歯案内通路内に存在する複数の務歯１２−１〜１２−４が、肩口側から順番にテープ挿通路を通過して、最終的に第１務歯列１２がスライダー５０の務歯案内通路から完全に外れる。第１務歯列１２がスライダー５０の務歯案内通路から外れると、務歯を噛み込んでいた上翼片５２の撓み（弾性変形）が戻り、原形（図４の実線位置）まで戻る。【００６１】
第１務歯列１２が完全にスライダーから外れると、スライダー５０の後口から出ている噛合状態の第１務歯列１２及び第２務歯列１３は、格別の横引き力を加えなくとも上止側から順に噛合が外れて、図１０に示すように、分離した状態となる。更に左右の第１務歯列１２及び第２務歯列１３を分離させてゆくと、図１に示した蝶棒３０が箱体４０Ｂから抜けて、左右の第１ファスナーストリンガー１６及び第２ファスナーストリンガー１７が完全に分離した状態となる。【００６２】
以下、一旦完全に分離した左右の第１ファスナーストリンガー１６及び第２ファスナーストリンガー１７を、再び噛合状態にする場合について説明する。先ず、スライダー５０を第２ファスナーストリンガー１７の開離嵌挿具の箱体４０Ｂの位置まで下ろして、箱体４０Ｂ上面にスライダー５０の後口を当接させておく。【００６３】
次に、第１ファスナーストリンガー１６の蝶棒３０をスライダー５０の肩口から挿入して、蝶棒３０の下端部が箱体４０Ｂの蝶棒挿入空間に挿入されるまで差し込む。蝶棒３０の下端部が箱体４０Ｂの蝶棒挿入空間に挿入すると、箱棒４０の第２係止部４４が蝶棒３０の凹陥部３３に進入し、上下方向に対する位置決めがなされる。蝶棒３０を箱棒４０に係止させた状態でスライダー５０を上止に向けて摺動させると、第１務歯列１２と第２務歯列１３とが噛合して、衣服の左前身頃と右前身頃が閉じて、双方の前身頃同士を結合させることができる。【００６４】
次に、本発明に係るスライドファスナー用スライダーの他の実施形態について、図１１〜図１６を用いて説明する。図１１〜図１４及び図１６は、図３に示したと同様の左側面図である。図１５は、図１４に示すスライダー４５０を後口側から見た背面図である。なお、図３に示した部分と同一の機能を有する部分については、同一の符号を付してその説明を省略する。【００６５】
図３に示した実施形態では、スライダー５０の下翼片５３から延設しているフランジ５０Ｕは、肩口側から後口まで一定の低い延設高さに設定されている。また、上翼片５２から延設しているフランジ５０Ｔは、肩口側の延設高さが中央部の延設高さよりも低い傾斜形状に設定されている。なお、図示実施形態にあっても、スライダー１５０、２５０、３５０及び４５０の上翼片５２又は下翼片５３のいずれかは可撓性を備えているので、上翼片５２又は下翼片５３を撓ませてテープ挿通路を拡幅することが可能となっている。【００６６】
図１１に示す実施形態では、スライダー１５０の上翼片５２から延設しているフランジ１５０Ｔにおける下翼片５３との対向端縁は、肩口側の延設高さが中央部の延設高さよりも低い傾斜形状に設定されている。そして、下翼片５３からはフランジが延設されていない。こうして肩口側のテープ挿通路の間隙Ｈが幅広に設定され、後口側のテープ挿通路の間隙ｈを狭く設定している。【００６７】
また、図１２に示す実施形態では、図１１に示した実施形態とは逆に、スライダー２５０の上翼片５２からはフランジが延設されておらず、下翼片５３からフランジ２５０Ｕを延設している。フランジ２５０Ｕは、肩口側の延設高さが中央部の延設高さよりも低い傾斜形状に設定されている。そして、この状態で肩口側のテープ挿通路の間隙Ｈが幅広に設定され、後口側のテープ挿通路の間隙ｈが狭く設定されている。【００６８】
また、図１３に示す実施形態では、図１１及び図１２に示した実施形態とは異なり、スライダー３５０の上翼片５２及び下翼片５３の双方から、フランジ３５０Ｔ及びフランジ３５０Ｕを延設している。そして、フランジ３５０Ｔ及びフランジ３５０Ｕの双方ともに、肩口側の延設高さが中央部の延設高さよりも低い傾斜形状に設定されている。その結果、肩口側のテープ挿通路の間隙Ｈが幅広に設定され、後口側のテープ挿通路の間隙ｈが狭く設定されている。【００６９】
また、図１４及び図１５に示すように、フランジの肩口側の延設高さが中央部の延設高さよりも低い傾斜形状を、フランジ４５０Ｔの一部に形成し、残りの部分を上翼片５２と平行に形成することもできる。なお、図１４に示す実施形態においても、肩口側のテープ挿通路の間隙Ｈが幅広に設定され、後口側のテープ挿通路の間隙ｈが狭く設定されている。【００７０】
図１５に示すように、上下二つのフランジ５０Ｆの対向端縁間の空間部分であるテープ挿通路は、肩口側から後口側まで一定の間隙ｈ'に形成している。なお、図示せぬ左右の第１及び第２ファスナーストリンガーを左右方向に向けて開く横引き力を加えたとき、必ず傾斜形状が形成されている側のテープ挿通路から務歯が外れるようにするために、傾斜形状が形成されている側のテープ挿通路の後口側の間隙ｈは、反対側の平行に形成されているテープ挿通路の間隙ｈ'よりも広く設定することが好ましい。【００７１】
また、図１６に示すように、フランジの肩口側の延設高さが中央部の延設高さよりも低い傾斜形状と、フランジの後口側の延設高さが中央部の延設高さよりも低い傾斜形状とを併用した、フランジ５５０Ｕ及びフランジ５５０Ｔを用いることもできる。なお、図１６に示す実施形態においては、スライダー５５０の肩口側及び後口側のテープ挿通路の間隙Ｈが幅広に設定され、中央部のテープ挿通路の間隙ｈが狭く設定されている。【００７２】
図１６に示すように、スライダー５５０の肩口側及び後口側の延設高さが中央部の延設高さよりも低くなるようにして、肩口側及び後口側の双方に傾斜形状を形成することにより、肩口側及び後口側の双方からテープ挿通路を拡開させて、務歯列をスライダーから外すことができる。このスライダー５５０は、尻合わせ又は頭合わせにより複数のスライダー５５０を配置したスライドファスナーの分離用に用いることができる。【００７３】
上述のように、図１１〜図１６に示すようにスライダーを構成しても、左右のファスナーストリンガーに左右方向の横引き力を加えることで、噛合状態にある務歯列をテープ挿通路から外して、瞬時に左右のファスナーストリンガーを分離状態に切り替えることができる。なお、図３、図１１〜図１４に示す実施形態においては、フランジの肩口側の延設高さを、中央部の延設高さよりも低い傾斜形状に形成した実施形態を示したが、これとは逆に、フランジの後口側の延設高さを、中央部の延設高さよりも低い傾斜形状に形成することもできる。フランジの後口側の延設高さを、中央部の延設高さよりも低い傾斜形状に形成することによって、後口側からテープ挿通路を拡開させて、務歯列をスライダーから外すことができる。【００７４】
次に、図１７〜図１９を用いて、上翼片及び下翼片のうちの少なくとも何れか一方を撓ませてテープ挿通路を拡幅可能にしたスライダーの実施形態について説明する。図１７は、可撓性を得るための薄肉部５４を上翼片５２に形成したスライダー６５０を後口側から見た斜視図である。また、図１８は、図１７に示すスライダー６５０を後口側から見た図である。図１９は、可撓性を得るための薄肉部を上翼片５２及び下翼片５３の双方に形成したスライダー７５０を後口側から見た図である。なお、図２、図１５等に示した部分と同じ機能を有する部分には、同一の符号を付してその説明を省略する。【００７５】
図１７及び図１８に示すスライダー６５０における上翼片５２の右翼側の上面には、スライダー６５０の前後方向に亙って溝部５５を形成してある。この溝部５５の裏側（務歯案内通路側）は平面状に形成してあるので、溝部５５の底の部分には薄肉部５４が形成されている。このように、上翼片５２にスライダー６５０の前後方向に亙って薄肉部５４を形成することによって、この薄肉部５４を支点にして上翼片５２のフランジ６５０Ｔ側を上方に向けて撓みやすくしている。このフランジ６５０Ｔを上方に向けて撓みやすく構成することで、スライダー６５０のテープ挿通路を拡幅して、務歯列を務歯案内通路から外すことが可能となる。【００７６】
なお、図１７及び図１８に示す実施形態では、務歯列の取り外しを容易にするために、フランジ６５０Ｕ及びフランジ６５０Ｔの延設高さを、フランジ５０Ｆの延設高さよりも低く設定することで、隙間Ｈをフランジ５０Ｆ側の間隙ｈ'よりも広く設定してある。【００７７】
また、図１７及び図１８に示す実施形態では、テープ挿通路の間隙Ｈは肩口から後口まで一定の間隙に設定してあるが、このテープ挿通路の間隙は、図１１〜図１６に示したように、肩口側又は後口側のテープ挿通路の間隙Ｈを幅広に設定し、中央部に向かって間隙が狭くなるように傾斜形状に形成することもできる。また、図１に示したように、スライドファスナーの第１ファスナーストリンガーにおける第１務歯列の下方に蝶棒を連設し、第２ファスナーストリンガーにおける第２務歯列の下方に箱棒及び箱体を連接して、開離嵌挿具付スライドファスナーを構成することもできる。【００７８】
また、図１７及び図１８に示す実施形態では、左側の上翼片５２の上面に溝部５５を形成することにより、溝部５５の底に薄肉部５４を形成した実施形態を示したが、本発明はこの形態に限定するものではなく、上翼片５２の左翼側、上翼片５２の左右両翼側、下翼片５３の片翼側又は両翼側、上翼片５２及び下翼片５３の双方に溝部５５及び薄肉部５４を形成して、テープ挿通路を拡幅可能な構成することもできる。【００７９】
また、溝部５５を務歯案内通路側に開設して、薄肉部５４を上翼片５２の上側に形成することもできる。また、上翼片５２の上側及び務歯案内通路側の双方から溝部を開設し、薄肉部を上翼片５２の中央部に形成することもできる。同様に、下翼片５３の下側及び務歯案内通路側の双方から溝部を開設し、薄肉部を下翼片５３の中央部に形成することもできる。【００８０】
次に、図１９を用いて、スライダー７５０の上翼片５２及び下翼片５３の双方に薄肉部５４を形成した実施形態について説明する。図１７及び図１８に示した実施形態では、スライダー６５０の前後方向に亙って溝部５５を開設することによって、その溝部５５の底に薄肉部５４を形成した実施形態を示した。これに対し、図１９に示すように、スライダー７５０の前後方向及び左右方向に亙って薄肉部５４を形成することもできる。【００８１】
このように、スライダー７５０の前後方向及び左右方向に亙って薄肉部５４を形成することによって、左右のファスナーストリンガーに横引き力を加えた際に、上翼片５２及び下翼片５３を撓み易くすることができる。そして、テープ挿通路を拡幅して、務歯案内通路から務歯列を外すことが可能となる。【００８２】
なお、図１９に示す実施形態では、フランジ７５０Ｆの延設高さを全て同じ高さに設定することによって、務歯案内通路から務歯列を外し易くしてあるが、図１１〜図１６に示したように、肩口側又は後口側のテープ挿通路の間隙Ｈを幅広に設定し、中央部に向かって間隙が狭くなるように傾斜形状に形成することもできる。また、図１に示したように、スライドファスナーの第１ファスナーストリンガーにおける第１務歯列の下方に蝶棒を連設し、第２ファスナーストリンガーにおける第２務歯列の下方に箱棒及び箱体を連接して、開離嵌挿具付スライドファスナーを構成してもよい。【００８３】
図１９に示す実施形態では、左側の上翼片５２及び下翼片５３に薄肉部５４を形成した実施形態を示したが、本発明はこの形態に限定するものではなく、上翼片５２又は下翼片５３の何れか一方に薄肉部５４を形成することもできる。また、上翼片５２の左右両側又は下翼片５３の両側に薄肉部５４を形成して、テープ挿通路を拡幅可能にすることもできる。
【産業上の利用可能性】
【００８４】
上記のクイックオープン式スライドファスナーは、スライダー及び務歯として樹脂の射出成形品を用いた実施形態を用いて説明したが、本発明に係るスライダー及び務歯は、樹脂の射出成形品に限定するものではなく、例えば務歯の素材として金属を用いることもできる。
【図１】
2010113275.tif 000003
【図２】
2010113275.tif 000004
【図３】
2010113275.tif 000005
【図４】
2010113275.tif 000006
【図５】
2010113275.tif 000007
【図６】
2010113275.tif 000008
【図７】
2010113275.tif 000009
【図８】
2010113275.tif 000010
【図９】
2010113275.tif 000011
【図１０】
2010113275.tif 000012
【図１１】
2010113275.tif 000013
【図１２】
2010113275.tif 000014
【図１３】
2010113275.tif 000015
【図１４】
2010113275.tif 000016
【図１５】
2010113275.tif 000017
【図１６】
2010113275.tif 000018
【図１７】
2010113275.tif 000019
【図１８】
2010113275.tif 000020
【図１９】
2010113275.tif 000021
【国際調査報告】
2010113275.tif 000022
2010113275.tif 000023
2010113275.tif 000024
2010113275.tif 000025